(57)【要約】【課題】現場での梁への取り付け作業を容易にすることができる取付け金物付き根太、取付け金物付き床パネル及び取付け金物を提供する。【解決手段】根太４もしくは床板３の下面側に根太４を取り付けた床パネル１を梁２２に固定するための取付け金物２付き根太３、取付け金物２付き床パネル１及び取付け金物２であり、取付け金物２は、根太４の下面側に配置され、根太４との協働により梁２２を上下方向から挟んだ取付け状態にする金物本体６と、根太４に固定される固定材７と、金物本体６と固定材７を連結し、根太４の下方からの操作が可能で、金物本体６と固定材７を引き寄せ、金物本６と固定材７を一体化させる引寄せ軸材８とを備えたものからなり、金物本体６と固定材７が一体化されていない仮固定状態で、金物本体６は固定材７に対し引寄せ軸材８を回動軸として回動可能である。【選択図】    図１
2010095921.tif 000002
【特許請求の範囲】
【請求項１】
根太を梁に取り付ける取付け金物付きの根太であって、
取付け金物は、
根太の下面側に配置され、根太との協働により梁を上下方向から挟んだ取付け状態にする金物本体と、
根太に固定される固定材と、
金物本体と固定材を連結し、根太の下方からの操作が可能で、金物本体と固定材を引き寄せ、金物本体と固定材を一体化させる引寄せ軸材と
を備えたものからなって、
金物本体と固定材が一体化されていない仮固定状態で、金物本体は固定材に対し引寄せ軸材を回動軸として回動可能であることを特徴とする取付け金物付き根太。
【請求項２】
金物本体に、金物本体と固定材の引寄せ時に金物本体の固定材に対する引寄せ軸材を回動軸とした回動を規制する係止部が設けられている請求項１に記載の取付け金物付き根太。
【請求項３】
金物本体と固定材が一体化されていない仮固定状態で、金物本体は固定材に対して、根太長さ方向に移動可能である請求項１又は２に記載の取付け金物付き根太。
【請求項４】
請求項1乃至３のいずれか一に記載の取付け金物付き根太が床板の下面側に取り付けられていることを特徴とする取付け金物付き床パネル。
【請求項５】
請求項１乃至３に記載の取付け金物付き根太で使用される取付け金物。
【発明の詳細な説明】
【技術分野】
【０００１】
本発明は、取付け金物付き根太、取付け金物付き床パネル及び取付け金物に関する。
【背景技術】
【０００２】
床板の下面側に内部空洞の金属製根太を設けた床パネルを梁に取り付ける取付け金物として、金物本体と抜止め材とボルトを備え、根太の開口部の円弧状端部の縁部を、金物全体と抜止め材とが挟み込んで該取付け金物を工場等で床パネルの根太に仮固定状態に先付けしておき、現場において金物全体を根太端部側に叩くことで仮固定状態が解除され、ボルトで抜止め材と金物本体を更に引き寄せることで金物本体と抜止め材とが根太の開口部のリップ部を挟み込んで本固定状態が形成されるようになされているものは、従来より提案されている。
【特許文献１】特開２００８−１５０９２１号公報
【発明の開示】
【発明が解決しようとする課題】
【０００３】
しかし、上記のような取付け金物付き根太では、金物の特性上中空の根太にしか使用できない。建物の施工上、たとえば設備配管の施工のために現場で根太を切断する場合があるが、中空の鋼製根太の場合、現場での加工は困難であるため、必要に応じて別途、中実の木製根太が使用されることが多い。
【０００４】
また、床パネルの梁への固定は、床レベルの安定と床衝撃音への配慮が求められ、床パネルを梁に強固に固定すると床衝撃音が悪化し、一方固定強度を緩めると床レベルが安定しないといった問題がある。
【０００５】
本発明は、以上のような問題点に鑑み、現場での梁への取り付け作業を容易にすることができる根太もしくは床板の下面側に根太を取り付けた床パネルを梁に固定するための取付け金物付き根太、取付け金物付き床パネル及び取付け金物を提供することを課題とする。
【課題を解決するための手段】
【０００６】
上記の課題は、根太を梁に取り付ける取付け金物付きの根太であって、
取付け金物は、
根太の下面側に配置され、根太との協働により梁を上下方向から挟んだ取付け状態にする金物本体と、
根太に固定される固定材と、
金物本体と固定材を連結し、根太の下方からの操作が可能で、金物本体と固定材を引き寄せ、金物本体と固定材を一体化させる引寄せ軸材と
を備えたものからなって、
金物本体と固定材が一体化されていない仮固定状態で、金物本体は固定材に対し引寄せ軸材を回動軸として回動可能であることを特徴とする取付け金物付き根太により解決される。
【０００７】
この取付け金物付き根太では、金物本体と固定材が一体化されていない仮固定状態で、金物本体は固定材に対し引寄せ軸材を回動軸として回動可能であるので、現場では、根太を梁に支承させた後、金物本体を固定材に対し引寄せ軸材を回動軸として回動させ梁下に移動させ、引き寄せ軸材で金物本体と固定材とを引き寄せるだけで、本固定状態が形成されて根太が梁に取り付けられ、現場での梁に対する根太の取り付け作業を容易にすることができる。
【０００８】
特に、梁への固定が金物本体と根太に取付けられる固定材とで実現されているため、根太の種類が限定されず、内部空洞の鋼製根太であってもよいし、中実の木根太であってもよく、根太の断面形状に左右される根太と梁に固定することができる。
【０００９】
また、上記の取付け金物付きの根太において、金物本体に、金物本体と固定材の引寄せ時に金物本体の固定材に対する引き寄せ軸材を回動軸とした回動を規制する係止部が設けられているとよい。
【００１０】
この場合は、金物本体に金物の回動を規制する係止部が設けられているので、根太を梁に支承させた後、金物本体を固定材に対し引寄せ軸材を回動軸として回動させ梁下に移動させ、引き寄せ軸材で金物本体と固定材とを引き寄せる時に、金物本体が自由に回動し、金物本体の位置が定まらないのを防止することができ、施工時に金物本体を梁下に位置させるために別途手で支持することなどなしに、作業者は、根太の下方から引寄せ軸材を操作するだけで、固定材と金物本体とを引き寄せ、金物本体と固定材を一体化させることができる。
【００１１】
また、金物本体と固定材が一体化されていない仮固定状態で、金物本体は固定材に対して、根太長さ方向に移動可能であるとよい。
【００１２】
金物本体が固定材に対して、根太長さ方向に移動可能であるため、取付け金物付き根太と梁との位置関係について根太長さ方向に調整をすることができるため、梁と根太との取り合い関係が混在する場合であっても、取付け金物付きの根太を梁と根太の取り合い関係にあわせて複数用意しておく必要がなく、部材管理、生産性について有利に実現することができる。
【００１３】
また、上記の課題は、上記の取付け金物付き根太が床板の下面側に取り付けられている取付け金物付き床パネル及び上記の取付け金物付き根太に使用される取付け金物によっても同様に解決される。
【発明の効果】
【００１４】
本発明の取付け金物付き根太、取付け金物付き床パネル及び取付け金物は、以上のとおりであるから、現場での梁への取り付け作業を容易にすることができる。
【発明を実施するための最良の形態】
【００１５】
次に、本発明の実施最良形態を図面に基づいて説明する。
【００１６】
図１及び２に示す本発明の実施形態の取付け金物２付き根太４は、床板３の下面側に予め取り付けられて、床パネル１を構成し、取付け金物２は、該床パネル１を図４に示すような、上下のフランジとこれらフランジをつなぐウェブとを備えたＨ形鋼からなる床梁２２の上フランジ２２ａに取り付けるのに用いられるものである。
【００１７】
根太４は、内部中実の木材からなっていて、平板の床板３の下面側に複数本並行に取り付けられ、床パネル１を構成している。
【００１８】
取付け金物２は、金物本体６と、固定材７と、引寄せ軸材としてのボルト８とで構成されている。なお、９はワッシャー、１０はゴムリングである。
【００１９】
金物本体６は、根太４の下面側に配置され、根太４との協働により床梁２２の上フランジ２２ａを上下方向から挟んだ取付け状態にするもので、１１は梁挟込み用の爪部であり、該爪部１１と繋がる基端部１３にはボルト通孔１２が設けられると共に、基端部１２の爪部１１とは反対側の端部の一方の側には、固定材７との協働により金物本体６の引き寄せ軸材としてのボルト９を回動軸とした回動を規制する係止部１４が設けられている。ボルト通孔１３は、金物本体６が固定材７に対して、根太長さ方向に移動できるように根太長さ方向に長孔となっている。なお、２０はクッション材で爪部１１の上面に取り付けられ、取付け金物２と床梁２２の上フランジ２２ａとの間に介設される。
【００２０】
固定材７は、ボルト８の螺合が可能なネジ孔１５を有すると共にネジ孔１５を挟む左右両側に、対の立ち上がり板部１６，１６が設けられ、各立ち上がり板部１６，１６の上端部に外方に張り出す水平な対の水平板部１７，１７が設けられ、各水平板部１７，１７の外方端部に対の固定用脚板部１８，１８が上方に突出するように設けられたものからなり、対の固定用脚板部１８，１８には固定材７を根太４にビスで固定するためのビス孔１９，１９，１９，１９があけられている。固定材７は、対の水平板部１７，１７が、根太４の底面部に当接し、固定用脚板部１８，１８が根太４の両側面部に当接して配置され、ビス孔１９，１９，１９，１９を介してビス２１により根太４に固定される。
【００２１】
上記の金物本体６と固定材７とは、ボルト９をその頭部を下にして金物本体６の下面側よりボルト通孔１３に通し、先端側を固定材７のネジ孔１５に螺合することで、取付け金物２を構成する。
【００２２】
ボルト８により金物本体６と固定材７とが完全に引寄せられず一体化されていない仮固定状態で、金物本体６は固定材７に対しボルト８を回動軸として回動可能となされている。また、金物本体６の基端部１２の爪部１１とは反対側の端部の一方の側には、固定材７との協働により金物本体６の引き寄せ軸材としてのボルト９を回動軸とした回動を規制する係止部１４が設けられており、ボルト８により金物本体６と固定材７とが引寄せられ一体化された固定状態で、金物本体６は固定材７に対しボルト８を回動軸としての回動が規制され、金物本体６は根太長さ方向に沿って固定される。
【００２３】
上記の取付け金物２は、次のようにして床パネル１の根太４に仮固定状態に取り付けられ、取付け金物２付き床パネル１を構成する。即ち、図３（イ）に示すように、ボルト８により金物本体６と固定材７とが完全に引寄せられない一体化されていない仮固定状態で固定材７の水平板部１７，１７を根太４の底面部、固定材７の固定用脚板部１８，１８を根太４の両側面部にそれぞれ当接させ、固定用脚板部１８，１８にあけられたビス孔１９，１９，１９，１９を介してビス２１・・・で固定する。この工程は工場で行われてもよいし、施工現場で行われてもよい。
【００２４】
取付け金物２が根太４に取り付けられた際に、金物本体６は、ボルト８により金物本体６と固定材７とが完全に引寄せられない一体化されていない仮固定状態としておくことで、図３（ロ）に示すように、金物本体６は固定材７に対しボルト８を回動軸として自由に回動することができる。
【００２５】
なお、５はクッション材で、根太４の端部下面に取り付けられて根太４と床梁２２の上フランジ２２ａとの間に介設される。
【００２６】
上記の床パネル１は、現場においてクレーン等で吊られて、図４（イ）に示すように金物本体６の爪部１１が建て込み時に、梁２２の上フランジ２２ａの上面に当たらないように、金物本体６を固定材７と略直交させた状態、つまり金物本体６の爪部１１から基端部１２へ向かう方向と根太長さ方向を略直交させた状態で、根太４の端部をクッション材５を介して床梁２２の上フランジ２２ａの上面に支承させる。なお、金物本体６は、ボルト８により金物本体６と固定材７とが完全に引寄せられない一体化されていない仮固定状態としておいてもよいし、施工時の金物本体６の自由な回動を防止するため、金物本体６を固定材７と直交させた状態で、ボルト８により金物本体６と固定材７とを引寄せ状態にし、金物本体６の回動を防止してもよい。
【００２７】
床パネル１を床梁２２の上フランジ２２ａの上面に支承させた後、金物本体６を回動させ、金物本体６の爪部１１を床梁２２の上フランジ２２ａの下面側に位置させ、ボルト９を床パネル１の下方側から操作することによって、金物本体６と固定材７は引寄せられ、金物本体６の爪部１１は、根太４との協働により床梁２２の上フランジ２２ａを上下方向から挟んだ取付け状態にする。
【００２８】
また、図５に示すように、床パネル１と床梁２２の位置関係が異なっている場合であっても、ボルト通孔１２は、金物本体６が固定材７に対して、根太長さ方向に移動できるように長孔となっているため、床パネル１の梁２２への載置後、金物本体６を床梁２２側にスライドさせて、金物本体６を床梁２２の固定に適切な位置に調整することができる。
【００２９】
この取付け金物付き根太では、金物本体と固定材が一体化されていない仮固定状態で、金物本体は固定材に対し引寄せ軸材を回動軸として回動可能であるので、現場では、根太を梁に支承させた後、金物本体を固定材に対し引寄せ軸材を回動軸として回動させ梁下に移動させ、引き寄せ軸材で金物本体と固定材とを引き寄せるだけで、本固定状態が形成されて根太が梁に取り付けられ、現場での梁に対する根太の取り付け作業を容易にすることができる。
【００３０】
特に、梁への固定が金物本体と根太に取付けられる固定材とで実現されているため、根太の種類が限定されず、内部空洞の鋼製根太であってもよいし、中実の木根太であってもよく、根太の断面形状に左右される根太と梁に固定することができる。
【００３１】
根太の梁への固定が、梁の上フランジを根太と金物で狭持し、上フランジと金物、上フランジと根太間にはクッション材が介設されて、ボルトで固定されているため、緩衝作用を保持しつつ強固に固定できるため、床衝撃音の低減が図れるとともに、床レベルの安定性も図ることができる。
【００３２】
以上に、本発明の実施形態を示したが、本発明はこれに限られるものではなく、発明思想を逸脱しない範囲で各種の変更が可能である。例えば、上記の実施形態では、床板３の下面側に根太４が備えられた床パネル１の根太に取付け金物２を固定した取付け金物２付き床パネル１に構成した場合を示したが、床板無しの根太の端部に取付け金物を固定した取付け金物付き根太として構成されてもよい。
【００３３】
また、上記の実施形態では、取付け金物２として、特定形態の金物本体６と、特定形態の固定材７と、ボルト９による引寄せ軸材を用いた場合を示したが、金物本体や抜止め材、引寄せ軸材の具体的形態に制限はなく、各種形態のこれら部品で構成された金物であってよい。
【００３４】
また、上記の実施形態では、根太４は中実の木製の根太について適用した場合について示したが、根太は中実である必要はなく、中空空洞であってもよいし、また材質についても特に制限はなく鋼製であってもよい。
【図面の簡単な説明】
【００３５】
【図１】本発明実施形態の取付け金物付き床パネルを示すもので、床パネルと取付け金物とを分離状態にして示す斜視図である。
【図２】図（イ）は取付け金物の分解斜視図、図（ロ）は取付け金物の斜視図、図（ハ）は図（ロ）の状態から金物本体を９０度回転させた状態の取付け金物の斜視図である。
【図３】図（イ）は根太への取付け金物の固定状況を示す斜視図、図（ロ）は、金物本体を９０度回転させた状態の根太への取付け金物の固定状況を示す斜視図である。
【図４】図（イ）、（ロ）は取付け金物付き床パネルの梁への取付け状況を示す側面図である。
【図５】図（イ）、（ロ）は図４とは異なる梁への取付け金物付き床パネルの取付け状況を示す側面図である。
【符号の説明】
【００３６】
１・・・床パネル
２・・・取付け金物
３・・・床板
４・・・根太
６・・・金物本体
７・・・固定材
８・・・ボルト（引寄せ軸材）
１３・・・ボルト通孔
１４・・・係止部
１５・・・ネジ孔
【図１】
2010095921.tif 000003
【図２】
2010095921.tif 000004
【図３】
2010095921.tif 000005
【図４】
2010095921.tif 000006
【図５】
2010095921.tif 000007